(57)【要約】【課題】  製造コストを増大させることなく、表示領域に表示させる情報の画質を劣化させることもなく、静電気に起因して表示パネルに帯電する電荷を効率良く接地端子側へ放電させることのできる表示装置を提供する。【解決手段】  情報を表示する表示領域を備えた表示パネルと、表示パネルの外周縁部を被覆するフレームとを有する表示装置において、フレームに、表示領域側へ向けて突出させた導電部材よりなる凸部を設けると共に、当該凸部を接地端子に接続した。【選択図】  図２
2007225899.tif 000002
【特許請求の範囲】
【請求項１】
情報を表示する表示領域を備えた表示パネルと、前記表示パネルの外周縁部を被覆するフレームを有する表示装置において、
前記フレームに、前記表示領域側へ向けて突出させた導電部材よりなる凸部を設けると共に、当該凸部を接地端子に接続したことを特徴とする表示装置。
【請求項２】
前記凸部は、先端方向へ向かうにつれて先細となるテーパー形状に形成したことを特徴とする請求項１に記載の表示装置。
【請求項３】
前記フレームは、前記表示領域に相当する部分に略矩形状の窓を有し、前記窓の四隅に前記凸部を設けたことを特徴とする請求項１又は請求項２に記載の表示装置。
【請求項４】
請求項１〜３のいずれか一項に記載された構成の表示装置を、表示画面として用いたことを特徴とする携帯可能な電子機器。
【発明の詳細な説明】
【技術分野】
【０００１】
本発明は、表示装置に関するものであり、特に、情報を表示する表示領域を備えた表示パネルと、表示パネルの外周縁部を被覆するフレームとを有する表示装置に関するものである。
【背景技術】
【０００２】
携帯電話やノート型パソコン等の情報端末には、文字情報や画像情報等を表示可能な、液晶ディスプレイや有機ＥＬディスプレイ等の表示装置が設けられていた。
【０００３】
この表示装置は、情報を表示する表示領域を備えた表示パネルと、この表示パネルを駆動する駆動用ＩＣとを備え、駆動用ＩＣから表示パネルに入力する駆動信号に基づいて表示パネルの各表示素子を動作させることにより、表示領域に情報を表示させるようにしていた。
【０００４】
このような表示装置を備える情報端末では、静電気を帯びたユーザーが表示装置に触れたときや、表示装置を保護するために表示パネル表面に貼付された保護シートを剥離するときなどに、表示パネルが静電気による大きな電荷を帯電してしまうおそれがあり、この帯電した電荷が表示素子や駆動用ＩＣ側へ放電すると、表示領域における情報の表示に支障をきたすおそれがある他、表示パネルや駆動用ＩＣ自体を破損させてしまうおそれがあった。
【０００５】
このような事態を避けるべく、表示パネルの表面に、導電性部材からなる帯電防止層を設けると共に、この帯電防止層と接続され、表示パネルの表示領域を除く周縁部を額縁状に被覆する金属フレームを設け、この金属フレームを駆動用ＩＣ等が取付けられている基板に設けた接地端子に接続させておくことにより、静電気に起因した電荷を、この金属フレームを介して接地端子側へ放電させる表示装置が考案されている（例えば、特許文献１参照）。
【特許文献１】特開平５−１８８３８８号公報
【発明の開示】
【発明が解決しようとする課題】
【０００６】
ところが従来の表示装置では、表示パネルに帯電している電荷を接地端子側へ放電させるために、表示パネルの表面に帯電防止層を形成していた。そのため、表示領域に表示する文字情報や画像情報の画質を低下させるおそれがあり、さらに、表示パネルの製造工程数が増加するため、製造コストを増大させるおそれがあった。
【課題を解決するための手段】
【０００７】
そこで、本発明では、情報を表示する表示領域を備えた表示パネルと、表示パネルの外周縁部を被覆するフレームとを有する表示装置において、フレームに、表示領域側へ向けて突出させた導電部材よりなる凸部を設けると共に、当該凸部を接地端子に接続することとした。
【０００８】
また、このフレームに設ける凸部は、先端方向へ向かうにつれて先細となるテーパー形状とした。この凸部は、フレームに複数個設けることが好ましく、例えば、フレームが表示パネルの表示領域に相当する部分に略矩形状の窓を有しているような場合、この窓の四隅に凸部を設けるようにする。
【発明の効果】
【０００９】
製造コストを増大させることなく、表示領域に表示させる情報の画質を劣化させることもなく、静電気に起因して表示パネルに帯電する電荷を効率良く接地端子側へ放電させることのできる表示装置を提供することができる。
【発明を実施するための最良の形態】
【００１０】
本発明の表示装置は、情報を表示する表示領域を備えた表示パネルと、この表示パネルを駆動する駆動用ＩＣとを備えている。特に、この表示装置は、静電気に起因した電荷が表示パネルや駆動用ＩＣ側へ放電することを防止するためのフレームを備えている。このフレームは、導電性の材料により形成され、表示パネルの表示領域に対応する部分に平面視略矩形状の窓を備え、表示パネルの外周縁部を被覆する額縁形状をしている。
【００１１】
さらに、このフレームに形成された略矩形状の窓には、フレームと同一材料により形成され、表示パネルの表示領域側へ向けて突出させた凸部を備えており、このフレームを、各種電子部品が実装されているＦＰＣ基板に設けた接地端子に接続することによって、フレームを介して凸部と接地端子とを接続するようにしている。
【００１２】
このように、フレームに凸部を形成すると共に、この凸部を接地端子に接続しておくことにより、表示装置に静電気を帯びたものが近づいた場合や、表示装置と静電気を帯びたものが接触した場合に、この凸部が避雷針として機能して、静電気に起因した大量の電荷を表示パネルや駆動用ＩＣ側に放電させることなく、フレームを介して接地端子側へ放電させることができ、静電気による表示パネルの動作不良や、表示パネル及び駆動用ＩＣの破損を未然に防止することができる。
【００１３】
また、フレームに設ける凸部は、基端側から先端側へ向かうにつれて先細となるテーパー形状としており、これにより、凸部の先端に電荷が集中しやすくなるので、凸部の避雷針としての機能をさらに向上させることができ、静電気に起因した電荷をより効率的に接地端子側へ放電させることができる。
【００１４】
また、この凸部は、フレームの窓に少なくとも一つ以上設ければよいが、好適には、フレームの複数箇所に設けることが望ましく、窓の内周に等間隔を開けて複数の凸部を設ければ、任意の方向からの静電気に対して対応することができる。
【００１５】
ただし、フレームの取付け作業時の安全性を考慮すると、窓の内周に凸部の存在しない平坦な部分を設けておく必要があるため、フレームに表示パネルの表示領域を視認可能とした略矩形状の窓を設け、この窓の四隅に凸部を設けることが望ましい。
【００１６】
また、この複数の凸部を備えたフレームは、略矩形状の平坦な金属板を所定形状の型枠を用いて打ち抜くことにより、容易に複数個製造することができ、製造コストを増大させることなく、静電気に対する耐性に優れた表示装置を提供することができる。
【００１７】
なお、フレームは、必ずしも凸部を含む全体を金属等の導電性材料により形成する必要はなく、例えば、凸部のみを導電性材料により形成し、この凸部と接地端子とをフレームに形成する配線により接続するように構成してもよい。
【００１８】
こうすることにより、フレームを樹脂などの比較的軽い材料により形成するこができるので、表示装置の軽量化を図ることができる。
【実施例】
【００１９】
以下、本発明の実施形態について、図面を参照して具体的に説明する。なお、以下の説明では、本発明に係る表示装置の一例として液晶ディスプレイを例に挙げ、この液晶ディスプレイを搭載した携帯電話機を用いて説明するが、本発明はこれに限定されるものではく、ノート型パソコンのディスプレイや、携帯型音楽プレーヤ、ディジタルカメラのディスプレイ等、任意の表示装置に対して適用することができ、表示装置としても、液晶ディスプレイに限るものではなく、有機ＥＬ（ディスプレイ等、駆動用ＩＣからの制御信号に基づいて動作する任意の表示装置に対して適用することができるものである。
【００２０】
ここで、図１は、本実施例の表示装置を搭載した携帯電話機を示す説明図であり、図２は、本実施例の表示装置を示す分解斜視図である。図示するように、表示装置１は携帯電話機２に内蔵されて、文字情報や画像情報などを表示する液晶表示ディスプレイである。この表示装置１は、携帯電話機２の筐体３内部に設けられ、情報を表示する液晶表示パネル４と、この液晶表示パネル４を駆動する駆動用ＩＣ５と、駆動用ＩＣ５を外部からの衝撃から保護すると共に、駆動用ＩＣ５及び液晶表示パネル４を静電気から保護するための金属フレーム６と、液晶表示パネル４に背面側から光を照射するバックライト（図示略）等を実装したバックライトユニット１４とを備えている。
【００２１】
液晶表示パネル４は、上側ガラス基板４ａと下側ガラス基板４ｂとの間に液晶を封止した一般的な透過型の液晶表示パネルであり、上側ガラス基板４ａと下側ガラス基板４ｂとには、図示しない偏光板等が設けられている。
【００２２】
また、この液晶表示パネル４は、その周縁部を除く略中央に情報を表示する表示領域７を備え、この表示領域７だけが携帯電話機２の筐体３に設けられた窓８から視認できるようになっており、駆動用ＩＣ５及び金属フレーム６は、携帯電話機２の筐体３に設けられた窓８から視認できないようになっている。
【００２３】
駆動用ＩＣ５は、下側ガラス基板４ｂ上の所定位置にＣＯＧ実装されて、ユーザーによる操作ボタン９の操作に対応した駆動信号を液晶表示パネル４に入力することにより、液晶表示パネル４の表示領域７内に文字情報や画像情報等を表示させるドライバである。
【００２４】
金属フレーム６は、液晶表示パネル４よりも面積の大きい略矩形状をしたステンレス製の板を所定形状の型枠で打ち抜くことにより、液晶表示パネル４の表示領域７に対応する部分を開口して略矩形状の窓１０を形成すると共に、この窓１０の四隅に表示領域７側へ突出させた凸部１１を形成したものである。この金属フレーム６の窓１０の四隅に設けた凸部１１は、基端側から先端側へ向けて先細としたテーパー形状をしている。
【００２５】
また、金属フレーム６の長辺を構成している枠体の略中央位置には、液晶表示パネル４の面と直交する方向に突出させ、後述する接地端子ＧＮＤと接続するための接続端子１２を設けている。
【００２６】
バックライトユニット１４は、底板の周縁に側壁を立設して上部を開放することにより液晶表示パネル４を収納可能に構成した箱体と、この箱体の所定位置に設けた図示しないバックライトと、箱体の底板裏面に設けられ各種電子部品（図示略）が実装されているＦＰＣ基板１５とを備えており、このＦＰＣ基板１５は接地端子ＧＮＤを備えている。
【００２７】
そして、この表示装置１を携帯電話機２に取付ける場合には、まず、液晶表示パネル４を収納した状態のバックライトユニット１４の上から金属フレーム６をかぶせることにより液晶表示パネル４の外周縁部を金属フレーム６により被覆する。
【００２８】
次に、金属フレーム６に設けている接続端子１２を屈曲させて、バックライトユニット１４裏面側に設けているＦＰＣ基板１５と当接させ、この接続端子１２をＦＰＣ基板１５に形成している配線（図示略）に接続することにより、各凸部１１を、金属フレーム６の枠体と、金属フレーム６の枠体に設けた接続端子１２と、ＦＰＣ基板１５に形成した配線とを介して、ＦＰＣ基板１５上に設けている接地端子ＧＮＤと接続する。
【００２９】
次に、このバックライトユニット１４と金属フレーム６とを取付けた液晶表示パネル４を携帯電話機２の筐体３に取付ける。
【００３０】
このように構成した表示装置１を携帯電話機２に搭載することにより、静電気に対する耐性を向上させた携帯電話機２とすることができる。
【００３１】
すなわち、静電気を帯びたユーザーがこの携帯電話機２の表示装置１の近傍に触れたとき等、表示装置１の近傍に静電気が生じた場合に、金属フレーム６に設けた凸部１1が避雷針として機能し、静電気に起因した電荷を、金属フレーム６の枠体と、この枠体に設けた接続端子１２と、この接続端子１２と接続されたＦＰＣ基板１５に形成した配線とを介して、ＦＰＣ基板１５に設けている接地端子ＧＮＤへ放電させることができるので、静電気に起因した電荷が液晶表示パネル４や駆動用ＩＣ５側へ放電することを防止することができ、静電気による液晶表示パネル４及び駆動用ＩＣ５の誤動作や破損を未然に防止することができる。
【００３２】
また、この表示装置１が備える金属フレーム６は、従来の凸部１１のない金属フレームを製造する際に用いていた型枠に代えて、窓１０の四隅に凸部１１を形成可能な型枠を用いるだけで製造できるので、製造工程数が増加することがなく、静電気に対する耐性を向上させるために液晶表示パネル４に新たな部材を設ける必要もないため、製造コストが増大することもない。
【００３３】
また、図２に示す金属フレーム６では、凸部１１を液晶表示パネル４の面方向と平行する方向に突出させるようにしているが、この凸部１１の先端側を上方向、又は、下方向に湾曲させてもよい。
【００３４】
このように、凸部１１の先端側を上方向に湾曲させた場合には、先端側を湾曲させていない場合よりも、表示装置１の外部で生じた静電気をより感度良く取り込んで接地端子ＧＮＤへ放電させることができる。
【００３５】
一方、凸部１１の先端側を下側へ湾曲させた場合には、先端側を湾曲させていない場合によりも、表示装置１の内部で生じた静電気をより感度良く取り込んで接地端子ＧＮＤへ放電させることができる。
【００３６】
このように凸部１１の先端側を湾曲させる場合には、手曲げ加工により凸部１１の先端側を湾曲させることもできるが、型枠による打ち抜き工程により湾曲させるてもよい。
【００３７】
すなわち、金属フレーム６を製造する際に用いる型枠の凸部１１形成部分における刃先を他の部分よりも非鋭利に加工しておき、この加工を施した型枠でステンレスの板体を打ち抜くようにする。
【００３８】
こうすることにより凸部１１の先端近傍がバリとなり、このバリの部分は非鋭利な刃先により凸部１１の先端側を湾曲させながら打ち抜かれることとなるので、形成された１１の先端側が湾曲した形状となる。
【図面の簡単な説明】
【００３９】
【図１】表示装置を搭載した携帯電話機を示す説明図である。
【図２】表示装置を示す分解斜視図である。
【符号の説明】
【００４０】
１  表示装置
２  携帯電話機
３  筐体
４  液晶表示パネル
４ａ  上側ガラス基板
４ｂ  下側ガラス基板
５  駆動用ＩＣ
６  金属フレーム
７  表示領域
９  操作ボタン
１０  窓
１１  凸部
１２  接続端子
１３  基板
１４  バックライトユニット
１５  ＦＰＣ基板
【図１】
2007225899.tif 000003
【図２】
2007225899.tif 000004